(57)【要約】【課題】流体制御装置組立てにおいて、４本のねじを簡便にかつ均等に締め付けることができるねじ部材締付方法を提供する。【解決手段】ねじ部材締付方法は、４本のねじ部材をそれぞれ手で締め付ける予備締めステップと、いずれか２本のねじ部材をトルクリミッタ式２軸締付け工具を使用して各ねじ部材が所定トルクに達するまで同時に締め付ける第１本締めステップと、残りの２本のねじ部材をトルクリミッタ式２軸締付け工具を使用して各ねじ部材が所定トルクに達するまで同時に締め付ける第２本締めステップと、第１本締めステップで締め付けた方の２本のねじ部材をトルクリミッタ式２軸締付け工具を使用して各ねじ部材が所定トルクに達するまで同時に締め付ける増し締めステップとからなる。【選択図】    図２
2004154884.tif 000002
【特許請求の範囲】
【請求項１】
流体制御装置組立て作業において所定の部材を４本のねじ部材で被固定部材に取り付けるに際し、４本のねじ部材をそれぞれ手で締め付ける予備締めステップと、いずれか２本のねじ部材をトルクリミッタ式２軸締付け工具を使用して各ねじ部材が所定トルクに達するまで同時に締め付ける第１本締めステップと、残りの２本のねじ部材をトルクリミッタ式２軸締付け工具を使用して各ねじ部材が所定トルクに達するまで同時に締め付ける第２本締めステップと、第１本締めステップで締め付けた方の２本のねじ部材をトルクリミッタ式２軸締付け工具を使用して各ねじ部材が所定トルクに達するまで同時に締め付ける増し締めステップとからなる、流体制御装置組立てにおけるねじ部材締付方法。
【発明の詳細な説明】
【０００１】
【発明の属する技術分野】
この発明は、流体制御装置組立てにおけるねじ部材締付け方法に関し、特に、下段にブロック状の継手が配置されるとともに、上段にブロック状継手にまたがるように流体制御機器が配置されて構成された流体制御装置組立て作業において、所定の部材（流体制御機器）を対応する被固定部材（ブロック状継手）に取り付ける際に有用なねじ部材締付け方法に関する。
【０００２】
【従来の技術】
従来、流体制御装置組立てにおけるねじ部材締付方法として、特許文献１に記載されているものが知られている。
【０００３】
この特許文献１のねじ部材締付方法で使用されている締付装置は、図３に示すように、流体制御装置（４１）において、マスフローコントローラ（４２）等を取り付ける六角穴付きボルト（４４）等のねじ部材を締め付けたり緩めたりするもので、マスフローコントローラ（４２）は、ガスケット（４３）を用いたシール部分を有しており、マスフローコントローラ（４２）両側のフランジ部（４２ａ）にあけられた４つのねじ孔（４５）にそれぞれ六角穴付きボルト（４４）がねじ込まれている。この締付装置（１）によると、４本のボルト（４４）のうち対角位置にある２本のボルト（４４）を同時に締め付けたり緩めたりすることができる。
【０００４】
締付装置（１）は、ボディ（２）と、ボディ（２）内に設けられた左右のモータ（３）と、各モータ（３）の駆動軸の先端にそれぞれジョイント（５）を介して取り付けられた平歯車（４）と、平歯車（４）に噛み合うピニオン（７）をそれぞれ基端に有する左右の回転軸（６）と、左右の回転軸（６）の先端に設けられた左右のレンチ部（８）と、ボディ（２）内に設けられて左右のモータ（３）を制御する制御部（９）とを備えている。ボディ（２）は直方体状であり、ボディ（２）の基端側の端壁（２ａ）には、把手（２３）、コネクタ（２４）、正転・逆転切換スイッチ（２５）およびオン・オフ用ボタンスイッチ（２６）が設けられている。平歯車（４）とモータ（３）の駆動軸との間には、平歯車（４）がモータ（３）の駆動軸に対して若干空転できる遊びが形成されている。左右の回転軸（６）は、ボディ（２）の先端側の端壁（２ｂ）を貫通しており、その基端部近くが、ボディ（２）の先端側の端壁（２ｂ）に回転自在に支持されている。ボディ（２）の先端側の端壁（２ｂ）に連なって、左右の回転軸（６）を納める軸受部（１０）が設けられている。左右の回転軸（６）の先端には、回転軸（６）と同軸の小径部（１１）が設けられている。平歯車（４）とモータ（３）の駆動軸との間に遊びがあるため、モータ（３）の駆動軸が回転し始めてから回転軸（６）が回転し始めるまでには若干のずれがあり、その後、回転軸（６）はモータ（３）の駆動軸の回転に伴って回転する。レンチ部（８）の先端には、ボルト（４４）の六角穴に対応する断面形状の六角柱部（１８）が設けられている。レンチ部（８）は、段付きボルト（２１）により、軸方向に移動自在に回転軸（６）に結合されている。レンチ部（８）の六角柱部（１８）に、３つの板バネよりなるボルト保持部（２２）が設けられている。このボルト保持部（２２）によって、六角穴付きボルト（４４）の頭部を保持することができる。制御部（９）は、マイコンなどからなり、各ボルト（４４）ごとの締付けを絶対レベルとして適正かどうか判定するとともに、各ボルト（４４）間で片締めが起こっていないかの相対レベルの判定も行いながら、各モータ（３）を制御する。ねじ部材締付量としては、ボルト（４４）の回転角度やボルト（４４）の変位量が使用される。
【０００５】
そして、このねじ部材締付方法では、各ねじ部材（ボルト）ごとに締付量および締付トルクを検出しながら締め付けていき、締付量がすべてのねじ部材において規定値となったときに、締付トルクの各ねじ部材間の差が規定範囲内にあるかどうかを判定するようになされている。
【０００６】
【特許文献１】
特開平９−１４１５６６号
【０００７】
【発明が解決しようとする課題】
上記従来のねじ部材締付方法では、精度よく締付けが行えるという利点を有しているものの、ねじ部材の変位量の測定手段やトルク制御や適正締付け判定などの制御手段が複雑となり、ねじ締付装置のコストが高くつくという問題があった。
【０００８】
また、２本ずつ締め付ける場合の一般的な問題として、最初の２本のねじについて適正締付け条件で締め付けた場合であっても、後の２本のねじを締め付けることによって、最初の２本のねじのトルク値が小さくなり、その結果、締付けが適正でなくなるという問題があった。この問題を解消するためには、４本のねじを同時に締付け可能な締付け工具を使用して、４本を同時に締め付ければよいが、この場合には、装置が大型化して取り扱いにくいなどの別の問題が生じる。
【０００９】
この発明の目的は、流体制御装置組立てにおいて、２本のねじを同時に締め付けることができる締付け工具を使用して、ねじ部材の変位量の測定が不要でかつ締付け工具を複雑な制御部分を含んだものとすることなく、４本のねじを簡便にかつ均等に締め付けることができるねじ部材締付方法を提供することにある。
【００１０】
【課題を解決するための手段および発明の効果】
この発明による流体制御装置組立てにおけるねじ部材締付け方法は、流体制御装置組立て作業において所定の部材を４本のねじ部材で被固定部材に取り付けるに際し、４本のねじ部材をそれぞれ手で締め付ける予備締めステップと、いずれか２本のねじ部材をトルクリミッタ式２軸締付け工具を使用して各ねじ部材が所定トルクに達するまで同時に締め付ける第１本締めステップと、残りの２本のねじ部材をトルクリミッタ式２軸締付け工具を使用して各ねじ部材が所定トルクに達するまで同時に締め付ける第２本締めステップと、第１本締めステップで締め付けた方の２本のねじ部材をトルクリミッタ式２軸締付け工具を使用して各ねじ部材が所定トルクに達するまで同時に締め付ける増し締めステップとからなるものである。
【００１１】
この発明の流体制御装置組立てにおけるねじ部材締付け方法によると、トルク制御手段や判定手段などの複雑な制御部分が設けられていない簡単な構成の締付装置（トルクリミッタ式２軸締付け工具）を使用することができ、しかも、流体制御装置の組立てに要求される所定の精度の締付トルクレベルを得ることができる。
【００１２】
【発明の実施の形態】
この発明の実施の形態を、以下図面を参照して説明する。
【００１３】
図１は、この発明の流体制御装置組立てにおけるねじ部材締付け方法を実施するための締付け工具を示している。
【００１４】
締付け工具（３１）は、公知の１軸のトルクドライバーを２本のねじ部材を同時に締め付けることができるように改良したブラシレスモータ採用の２軸のトルクリミッタ式締付け工具であり、締付トルクが機械式可変トルクリミッタ（３３）によって設定可能とされている。トルクリミッタ（３３）は、コイルばね（３９）に付勢されて移動可能な位置決め部材（３８）を有しており、コイルばね（３９）の付勢力は、トルク調整つまみ（４０）を操作することにより調整可能とされている。各出力軸（４）には、６０°程度の遊びが設けられており、各出力軸（４）に取り付けられた六角ビット（５）をそれぞれ対応する六角孔付きボルト（図３の（４４））の六角孔部に嵌め合わせる際に、それぞれ独立に回転させることができるようになされている。また、回転数は、ハイとローに切換え可能であり、ボルトを外す場合にも使用できるように、逆回転も可能とされている。
【００１５】
本体（２）には、トルクリミッタ（３３）が効いたときに作動して締付け完了を知らせるＬＥＤおよびブザー（６）が設けられている。また、締付け姿勢が変わった場合でも、工具（３１）が保持しやすいように、補助グリップ（７）は、図示した位置とこれから１８０°反転した位置とのいずれの位置にも取付け可能とされている。
【００１６】
この締付け工具（３１）によると、ブラシレスモータを採用しているので、塵埃等を嫌う場所での使用にも適している。
【００１７】
この発明による流体制御装置組立てにおけるねじ部材締付方法は、流体制御装置組立て作業において所定の部材（流体制御機器）を対応する１または複数の被固定部材（ブロック状継手）に取り付ける際に使用されるもので、４本のねじ部材をそれぞれ手で締め付ける予備締めステップと、いずれか２本のねじ部材をトルクリミッタ式２軸締付け工具（３１）を使用して各ねじ部材が所定トルクに達するまで同時に締め付ける第１本締めステップと、残りの２本のねじ部材をトルクリミッタ式２軸締付け工具（３１）を使用して各ねじ部材が所定トルクに達するまで同時に締め付ける第２本締めステップと、第１本締めステップで締め付けた方の２本のねじ部材をトルクリミッタ式２軸締付け工具（３１）を使用して各ねじ部材が所定トルクに達するまで同時に締め付ける増し締めステップとからなる。
【００１８】
図２は、この発明によるねじ部材締付方法を使用して締め付けた際のトルク値の様子を示している。各グラフの横軸は時間、縦軸は締付トルクにそれぞれ対応している。まず、締付箇所Ａ：１回目でＡの２本のねじ部材（４４）を締め付ける。この際の２本のねじ部材（４４）の締付トルクは、５２〜５５ｋｇｆ・ｃｍとなっている。次いで、締付箇所Ｂ：１回目でＢの２本のねじ部材（４４）を締め付ける。この際の２本のねじ部材（４４）の締付トルクは、５４〜５５ｋｇｆ・ｃｍとなっている。締付箇所Ａ：２回目でＡの２本のねじ部材（４４）を締め付ける。この際の２本のねじ部材（４４）の締付トルクは、５３〜５６ｋｇｆ・ｃｍとなっている。このグラフからは、所定のトルク値に達するまでにある程度の時間が掛かっており、Ａの２本のねじ部材（４４）の締付トルクは、締付箇所Ｂ：１回目の締付操作によって若干低下し、締付箇所Ａ：２回目の操作によりその低下分が回復させられたことが分かる。次いで、締付箇所Ｂ：２回目でＢの２本のねじ部材（４４）が締め付けられているが、この際の２本のねじ部材（４４）の締付トルクは、５４〜５７ｋｇｆ・ｃｍであり、このグラフからは、所定のトルク値に達するまでの時間が、締付箇所Ａ：２回目の締付操作に比べて、３／４程度に短くなっており、また、Ｂの２本のねじ部材（４４）の締付トルクは、締付箇所Ｂ：２回目の締付操作をしなくても、所定のレベルを確保していることが分かる。すなわち、締付箇所Ｂ：２回目の締付操作を行わず、締付箇所Ａ：２回目までの操作を行うことにより、所定の締付トルクを確保するという課題と締付け工数を少なくするという課題との両立が可能になることが分かる。こうして、各ねじ部材（４４）が適正に締め付けられることにより、図３に例示されている流体制御装置（４１）の組立てにおいて、ガスケット（４３）を用いた各シール部分に適正な面圧が与えられ、流体制御装置（４１）のシール性を確保することができる。
【図面の簡単な説明】
【図１】この発明によるねじ部材締付け方法を実施するための締付け工具を示す一部を切り欠いた図である。
【図２】この発明によるねじ部材締付け方法で締付けを行った際のトルク変化の様子をを示す図である。
【図３】従来のねじ部材締付け方法を実施するための締付け工具の一例を示す斜視図である。
【符号の説明】
（１）      締付け工具
（４４）      ボルト
【図１】
2004154884.tif 000003
【図２】
2004154884.tif 000004
【図３】
2004154884.tif 000005